(57)【要約】【課題】ユーザに負担をかけることなく、映像情報の秘匿性をより高いものとし、ひいては完全な映像情報の秘匿性を確保する。【解決手段】映像表示装置を、光源と、空間光変調器と、該光源からの光を空間光変調器へ導く照明光学系と、ホログラフィック光学素子を備えて空間光変調器からの映像光を投影する投影光学系とを備えた、ユーザに装着可能な映像表示装置とし、この映像表示装置を装着したユーザが本人であると認証装置により認証されている場合に映像情報を映像表示装置に表示させる一方で、該表示状態において映像表示装置が非装着の状態であることが状態検出装置により検出されたとき、制御装置によって該映像表示装置における映像情報の表示を停止する。【選択図】図１
2007322769.tif 000002
【特許請求の範囲】
【請求項１】
所定の光源と、該光源の光を変調して映像を生成する空間光変調器と、前記光源からの光を前記空間光変調器へ導く照明光学系と、ホログラフィック光学素子を備え、前記空間光変調器からの映像光を投影する投影光学系とを備える、ユーザに装着することが可能に構成された映像表示装置と、
前記映像表示装置がユーザに装着されたときに該ユーザが本人であるか否かの認証を行う認証装置と、
前記映像表示装置で表示可能な所定の映像情報を保管する映像保管装置と、
前記映像保管装置に保管されている映像情報を前記映像表示装置へ向けて送信することが可能に構成された通信装置と、
前記映像表示装置が前記ユーザに装着された状態であるか非装着の状態であるかを検出する状態検出装置と、
前記映像表示装置における前記映像情報の表示を制御する制御装置とを備え、
前記制御装置は、
前記映像表示装置を装着したユーザが前記本人であると前記認証装置により認証されている場合に前記映像情報を前記映像表示装置に表示させる一方で、該表示状態において前記映像表示装置が前記非装着の状態であることが前記状態検出装置により検出されたときに、該映像表示装置における前記映像情報の表示を停止させることを特徴とする映像表示システム。
【請求項２】
前記制御装置は、
前記映像表示装置に前記映像情報を表示するべく該映像情報を一時的に保存する保存媒体を備えており、
前記映像表示装置が前記非装着の状態であることが前記状態検出装置により検出されたときに、前記映像表示装置における前記映像情報の表示を停止するとともに、前記保存媒体に保存されている映像情報を消去することを特徴とする請求項１に記載の映像表示システム。
【請求項３】
前記映像表示装置は、前記ユーザの頭部に装着することが可能に構成された眼鏡型の映像表示装置であって、
前記状態検出装置は、前記眼鏡型の映像表示装置における前記頭部の耳及び鼻の位置それぞれに対応するテンプル部及び鼻当て部に設けられた、人体との接触、非接触を検知するセンサであることを特徴とする請求項１又は２に記載の映像表示システム。
【請求項４】
前記制御装置は、
時間計測を行う計時機能を備えており、
前記映像表示装置が前記非装着の状態であることが前記状態検出装置により検出された時点で前記計時機能により時間の計測を開始し、所定時間が経過した時点で前記映像表示装置における映像情報の表示を停止することを特徴とする請求項１〜３のいずれかに記載の映像表示システム。
【請求項５】
前記認証装置は、
前記映像表示装置が装着されたユーザの虹彩、網膜又は顔の情報である生体情報を取得する生体情報取得装置を備え、
前記生体情報取得装置により取得された生体情報に基づいて前記ユーザが本人であるか否かの認証を行うことを特徴とする請求項１〜４のいずれかに記載の映像表示システム。
【請求項６】
前記制御装置は、
前記映像表示装置を装着したユーザが本人でないと前記認証装置により認証されたときに、該本人でないユーザに対する所定の警告情報を前記映像表示装置に表示する警告機能を備えていることを特徴とする請求項１〜５のいずれかに記載の映像表示システム。
【発明の詳細な説明】
【技術分野】
【０００１】
本発明は、映像情報を表示するヘッドマウントディスプレイ等の映像表示装置を用いた映像表示システムに関し、特に、映像情報の秘匿性が確保される映像表示システムに関する。
【背景技術】
【０００２】
従来、光源によって映像表示素子を照明し、この映像表示素子からの映像光をホログラム光学素子等の光学系を介して虚像として表示する、ユーザの身体例えば頭部に対して着脱自在なヘッドマウントディスプレイ（ＨＭＤ）等の映像表示装置が知られている。このような映像表示装置或いはこの映像表示装置を用いた映像表示システムにおいて、映像情報を不特定多数の人がいる中で表示する場合のセキュリティ対策つまり該映像情報の秘匿を図る手段として、例えば特許文献１には、ユーザ個人の網膜や虹彩等の生物学的特徴に基づいてユーザが使用権限を有するか否かについてのユーザ認証を行い、ユーザ認証が確立すれば、ＨＭＤがユーザから取り外されない限り映像情報が表示されるという技術が開示されている。
【特許文献１】特開２００３−１６７８５５号公報
【発明の開示】
【発明が解決しようとする課題】
【０００３】
上記従来技術では、ユーザ認証を行うことにより映像情報の秘匿性は向上するものの、ＨＭＤが当該ユーザから外れた際の処置については開示されておらず、この場合例えばユーザ側に映像情報が残ってしまうなど、依然として映像情報の完全な秘匿性が確保されないという問題がある。完全な秘匿性を確保しようとして、映像表示装置や映像表示システムが複雑で大掛かり或いは煩雑な操作が要求されるものになると、ユーザに負担をかけてしまう、すなわちユーザにとって非常に使い勝手が悪いものとなり、これを用いた作業（通常作業）にも大きな影響を与えてしまうことになる。
【０００４】
本発明は、上記問題に鑑みてなされたもので、ユーザに負担をかけることなく、映像情報の秘匿性をより高いものとし、ひいては完全な映像情報の秘匿性を確保することができる映像表示システムを提供することを目的とする。
【課題を解決するための手段】
【０００５】
本発明の請求項１に係る映像表示システムは、所定の光源と、該光源の光を変調して映像を生成する空間光変調器と、前記光源からの光を前記空間光変調器へ導く照明光学系と、ホログラフィック光学素子を備え、前記空間光変調器からの映像光を投影する投影光学系とを備える、ユーザに装着することが可能に構成された映像表示装置と、前記映像表示装置がユーザに装着されたときに該ユーザが本人であるか否かの認証を行う認証装置と、前記映像表示装置で表示可能な所定の映像情報を保管する映像保管装置と、前記映像保管装置に保管されている映像情報を前記映像表示装置へ向けて送信することが可能に構成された通信装置と、前記映像表示装置が前記ユーザに装着された状態であるか非装着の状態であるかを検出する状態検出装置と、前記映像表示装置における前記映像情報の表示を制御する制御装置とを備え、前記制御装置は、前記映像表示装置を装着したユーザが前記本人であると前記認証装置により認証されている場合に前記映像情報を前記映像表示装置に表示させる一方で、該表示状態において前記映像表示装置が前記非装着の状態であることが前記状態検出装置により検出されたときに、該映像表示装置における前記映像情報の表示を停止させることを特徴とする。
【０００６】
上記構成によれば、所定の光源と、該光源の光を変調して映像を生成する空間光変調器と、光源からの光を前記空間光変調器へ導く照明光学系と、ホログラフィック光学素子を備え、空間光変調器からの映像光を投影する投影光学系とを備える、ユーザに装着することが可能に構成された映像表示装置がユーザに装着されたときに該ユーザが本人であるか否かの認証が認証装置によって行われる。また、映像表示装置で表示可能な所定の映像情報が映像保管装置によって保管され、通信装置が、映像保管装置に保管されている映像情報が映像表示装置へ向けて送信することが可能なものとされる。また、映像表示装置がユーザに装着された状態であるか非装着の状態であるかが状態検出装置によって検出され、制御装置によって映像表示装置における映像情報の表示が制御される。そして、映像表示装置を装着したユーザが本人であると認証装置により認証されている場合に映像情報が映像表示装置に表示される一方で、該表示状態において映像表示装置が非装着の状態であることが状態検出装置により検出されたときに、該映像表示装置における映像情報の表示が制御装置によって停止される。
【０００７】
また、上記構成において、前記制御装置は、前記映像表示装置に前記映像情報を表示するべく該映像情報を一時的に保存する保存媒体を備えており、前記映像表示装置が前記非装着の状態であることが前記状態検出装置により検出されたときに、前記映像表示装置における前記映像情報の表示を停止するとともに、前記保存媒体に保存されている映像情報を消去するようにしてもよい。
【０００８】
これによれば、制御装置によって、映像表示装置が非装着の状態であることが状態検出装置により検出されたときに、映像表示装置における映像情報の表示が停止されるとともに、制御装置が備える保存媒体に保存されている映像情報が消去される。
【０００９】
また、上記構成において、前記映像表示装置は、前記ユーザの頭部に装着することが可能に構成された眼鏡型の映像表示装置であって、前記状態検出装置は、前記眼鏡型の映像表示装置における前記頭部の耳及び鼻の位置それぞれに対応するテンプル部及び鼻当て部に設けられた、人体との接触、非接触を検知するセンサであるようにしてもよい。
【００１０】
これによれば、映像表示装置が、ユーザの頭部に装着することが可能に構成された眼鏡型の映像表示装置とされ、状態検出装置が、眼鏡型の映像表示装置における頭部の耳及び鼻の位置それぞれに対応するテンプル部及び鼻当て部に設けられた、人体との接触、非接触を検知するセンサとされる。
【００１１】
また、上記構成において、前記制御装置は、時間計測を行う計時機能を備えており、前記映像表示装置が前記非装着の状態であることが前記状態検出装置により検出された時点で前記計時機能により時間の計測を開始し、所定時間が経過した時点で前記映像表示装置における映像情報の表示を停止するようにしてもよい。
【００１２】
これによれば、制御装置によって、映像表示装置が非装着の状態であることが状態検出装置により検出された時点で、該制御装置が備える計時機能により時間の計測が開始され、所定時間が経過した時点で映像表示装置における映像情報の表示が停止される。
【００１３】
また、上記構成において、前記認証装置は、前記映像表示装置が装着されたユーザの虹彩、網膜又は顔の情報である生体情報を取得する生体情報取得装置を備え、前記生体情報取得装置により取得された生体情報に基づいて前記ユーザが本人であるか否かの認証を行うようにしてもよい。
【００１４】
これによれば、認証装置によって、該認証装置が備える生体情報取得装置により取得されたユーザの虹彩、網膜又は顔の情報である生体情報に基づいてユーザが本人であるか否かの認証が行われる。
【００１５】
また、上記構成において、前記制御装置は、前記映像表示装置を装着したユーザが本人でないと前記認証装置により認証されたときに、該本人でないユーザに対して所定の警告情報を前記映像表示装置に表示する警告機能を備えているようにしてもよい。
【００１６】
これによれば、制御装置が備える警告機能によって、映像表示装置を装着したユーザが本人でないと認証装置により認証されたときに、該本人でないユーザに対する所定の警告情報が映像表示装置に表示される。
【発明の効果】
【００１７】
請求項１に係る映像表示システムによれば、映像表示装置が、所定の光源と、該光源の光を変調して映像を生成する空間光変調器と、光源からの光を前記空間光変調器へ導く照明光学系と、ホログラフィック光学素子を備え、空間光変調器からの映像光を投影する投影光学系とを備え、ユーザに装着することが可能に構成されているため、映像表示装置を、映像情報がユーザ本人以外の第三者に対して秘匿される映像表示装置とすることができる。この映像情報は映像保管装置に保管され、通信装置によって映像表示装置へ向けて送信される。そして、映像表示装置がユーザに装着されたときには該ユーザが本人であるか否かの認証が認証装置によって行われることからも映像情報は秘匿される。さらに、映像表示装置を装着したユーザが本人であると認証装置により認証されるとともに映像情報が映像表示装置に表示されている状態のとき、すなわち映像表示装置の通常使用時において、映像表示装置が非装着の状態つまり映像表示装置がユーザから外れたことが状態検出装置により検出されたときであっても、該映像表示装置における映像情報の表示が停止されて第三者に対して映像情報が秘匿される。このように映像表示装置の通常使用時のみならず、映像表示装置がユーザから外れてしまった場合でも、映像表示装置や映像表示システムを複雑で大掛かりなものとする或いは煩雑な操作を要求することなく、映像情報の表示を停止させることで映像情報が秘匿されるので、ユーザに負担をかけることなく、映像情報を確実に秘匿するすなわち映像情報の秘匿性をより高いものとし、ひいては完全な映像情報の秘匿性を確保することができる。
【００１８】
請求項２に係る映像表示システムによれば、映像表示装置が非装着の状態であることが検出されたときに、映像情報の表示が停止されるとともに保存媒体に保存されている映像情報が消去されるので、より確実に映像情報を秘匿することができ、ひいてはより完全な映像情報の秘匿性を確保することができる。
【００１９】
請求項３に係る映像表示システムによれば、状態検出装置が、テンプル部及び鼻当て部に設けられた人体との接触、非接触を検知するセンサとされるので、映像表示装置が例えば装着位置から少しズレたりしただけで、映像表示装置がユーザから外れたと検知されてしまうという誤操作（誤作動）を防止でき、ひいてはユーザが不用意に作業を中断されて作業効率が低下することのないようにすることができる。
【００２０】
請求項４に係る映像表示システムによれば、映像表示装置が非装着の状態であることが検出された時点で時間の計測が開始され、所定時間が経過した時点で映像情報の表示が停止されるので、映像表示装置が非装着の状態であると検出された時点で直ちに映像表示が停止されしてしまい、実際には映像表示装置がユーザから取り外されていないのに非装着状態と検出されるという誤操作に対する裕度を持たすことができ、映像表示装置が装着状態であるか非装着状態であるの判定をより正確に行うことができる。
【００２１】
請求項５に係る映像表示システムによれば、ユーザの生体情報に基づいて該ユーザが本人であるか否かの認証が行われるので、より正確な認証を行うことができ、ひいてはより完全な映像情報の秘匿性を確保することができる。
【００２２】
請求項６に係る映像表示システムによれば、映像表示装置を装着したユーザが本人でないと認証装置により認証されたときに、該本人でないユーザに対して映像表示装置に所定の警告情報が表示されるので、例えば、本人でないユーザがこの映像表示装置を使用しようとしたり映像情報を見ようとする行為を行わさないようにしてより確実に映像情報を秘匿することができ、ひいてはより完全な映像情報の秘匿性を確保することができる。
【発明を実施するための最良の形態】
【００２３】
図１は、本実施形態に係る映像表示システム１の概略構成図である。映像表示システム１は、同図に示すように、不特定多数の人（第三者）が存在する外部環境例えば現場において作業する担当者（以降、作業者Ｐ１という）の側と、警察や消防などの組織或いは所定の会社等における例えば本部の集中管理室などにおいて、作業者Ｐ１に対して所定の指示を出す或いは作業者Ｐ１からの連絡又は指示を受ける担当者（以降、指示者Ｐ２という）の側との間において、映像情報等の通信を行うものである。この映像表示システム１は、人体装着型映像表示装置２、携帯モバイル端末３、本部モニタＰＣ４、コンテンツサーバ５、認証サーバ６、有線ネットワーク７、無線ネットワーク８及びＳＩＰサーバ９等を備えている。
【００２４】
有線ネットワーク７及び無線ネットワーク８は、インターネット網（公衆ネット回線）を利用して例えばＴＣＰ／ＩＰプロトコルによる情報通信を行うことが可能に構成された情報通信ネットワークである。有線ネットワーク７は、この情報通信ネットワークにおける所謂通信ケーブルを用いた有線での通信ネットワークである。図１では、この有線ネットワーク７において、本部モニタＰＣ４、コンテンツサーバ５及び認証サーバ６は上記集中管理室における例えばギガ・イーサネット（イーサネット；登録商標）等による本部内ネットワークに接続されている。本部内ネットワークはファイヤーウォール（図示省略）等によって防護され、セキュリティが確保されたつまり秘匿すべき情報の秘匿性が確保された構内ＬＡＮ（Local Area Network）或いは社内ＬＡＮを構成している。
【００２５】
無線ネットワーク（無線公衆ネット回線）８は、上記情報通信ネットワークにおける例えばＷｉＭＡＸ（Worldwide Interoperability for Microwave Access）といった無線通信規格を用いた無線通信による所謂ワイヤレスネットワークである。無線ネットワーク８は、図１に示すように例えば作業者Ｐ１が存在する現場毎に例えばブリッジやルータ等の無線ＬＡＮ−ＡＰ（アクセスポイント）８１を備えており、無線ＬＡＮ−ＡＰ８１を介して各作業者Ｐ１の携帯モバイル端末３とワイヤレス接続される。
【００２６】
ＳＩＰサーバ９は、Session Initiation Protocol（ＳＩＰ）という通信プロトコルによって、２つ以上のクライアントすなわち例えば本部モニタＰＣ４及び携帯モバイル端末３間、或いはコンテンツサーバ５及び携帯モバイル端末３間におけるネットワーク上のセッション（マルチメディアセッション）を確立するためのサーバである。ただし、ＳＩＰサーバ９は、セッションの内容には関知せず、セッションの開始、変更、終了のみを行うものであり、謂わば電話交換機的な役割を果たす。
【００２７】
コンテンツサーバ５は、所定の機密映像やマニュアル（作業マニュアル）或いはプライバシー情報などの第三者に対して秘匿されるべき映像情報（これらをコンテンツと表現する）がアーカイブつまり保存（記憶）されているサーバである。コンテンツサーバ５は、作業者Ｐ１からの要請或いは指示者Ｐ２からの指示に応じて、すなわち携帯モバイル端末３或いは本部モニタＰＣ４からの要求命令（後述のコンテンツ送信要求）に応じて、コンテンツサーバ５内のコンテンツを携帯モバイル端末３へ向けて送信（又は転送）する。なおコンテンツサーバ５は、例えばＳＳＬ（Secure Socket Layer）を用いた暗号化処理を行う機能を備えており、この機能を用いてコンテンツに対する暗号化処理を施した後にこの暗号化したコンテンツを携帯モバイル端末３へ送信する。
【００２８】
認証サーバ６は、予め撮影或いは情報入力されるなどして得られた、作業者Ｐ１の網膜データや虹彩データ、顔の情報（例えば顔画像或いは顔の輪郭画像）といった生物学的特徴情報（以降、生体情報という）などの、各作業者Ｐ１が本人であるか否かの判定（認証）を行うための認証情報つまり個人認証情報が保存されているサーバである。認証サーバ６は、携帯モバイル端末３から送信されてきた作業者Ｐ１の個人認証情報（生体情報）と、該認証サーバ６に保存されている個人認証情報との照合（比較）処理を行う。この照合結果は本部モニタＰＣ４に送信される。なお、携帯モバイル端末３から送信されてくる個人認証情報と、認証サーバ６に保存されている個人認証情報とを区別するべく、前者を単に“認証情報”と表現し、後者を“照合用認証情報”と表現する。なお、この“認証情報”や“照合用認証情報”は、必ずしも生体情報でなくともよく、例えば作業者Ｐ１毎に割り当てられた暗唱番号等の情報であってもよい。要は、各作業者Ｐ１が本人であると特定することが可能な情報であれば何れの情報でもよい。
【００２９】
人体装着型映像表示装置２は、観察者つまり作業者Ｐ１の眼前に配置されて、すなわち頭部に装着されて使用される眼鏡型の映像表示装置であり、携帯モバイル端末３から送信されてきた映像情報（映像）を表示するものである。以降、人体装着型映像表示装置２をＷＤ（Wearable Display）２と表現する。ＷＤ２は、これを装着した作業者Ｐ１の眼前に後述の光学瞳ＥＰが位置するように映像を表示する。ＷＤ２は、作業者Ｐ１に装着されたとき、この作業者Ｐ１から生体情報を取得し、取得した生体情報を携帯モバイル端末３に送信（入力）する。また、ＷＤ２は、装着状態から非装着状態になったときすなわち作業者Ｐ１の頭部から外されたとき（この作業者Ｐ１自身の意図によって外された場合や第三者によって強制的に外された場合などを含む）に、当該ＷＤ２が外れたことを検知し、この検知情報（後述の着脱検知情報）を携帯モバイル端末３に送信する。ＷＤ２の詳細な構成及び動作等については後述する。
【００３０】
携帯モバイル端末３は、作業者Ｐ１に装着されるなどして携帯される所謂Ｔｈｉｎ−Ｃｌｉｅｎｔ端末（例えばネット上で繋がっているときのみパソコン的な動作をする端末）であり、ＷＤ２における映像の表示を制御する映像表示制御装置である。以降、携帯モバイル端末３をＵＩＰ（Ubiquitous Imaging Platform）３と表現する。ＵＩＰ３は、コンテンツサーバ５や本部モニタＰＣ４から送信されてきた映像情報を、インターネットプロトコル上の例えばＮＴＳＣ（National Television Standards Committee）方式やＪＰＥＧ（Joint Photographic Experts Group）方式等による可視可能な映像信号に変換し、これをＷＤ２に表示させる。ただし、ＵＩＰ３は、単にＷＤ２に映像を表示させるためのものではなく、ＷＤ２からの作業者Ｐ１の認証情報に基づき、本部モニタＰＣ４とのやり取りを通してＷＤ２へ映像を表示させたり、映像を非表示にしたり、或いは作業者Ｐ１からＷＤ２が外れた場合にＷＤ２への映像表示を停止するといった機能を備えるものである。このＵＩＰ３の詳細な構成及び動作等については後述する。
【００３１】
本部モニタＰＣ４は、例えば上記集中管理室に設置され、本部内ネットワークにおけるコンテンツサーバ５や認証サーバ６との情報のやり取りを制御するとともに、ＵＩＰ３との情報のやり取りを制御する、謂わば作業者Ｐ１の作業等をモニタ（監視）するための映像表示システム１における主情報処理装置（メインコンピュータ）である。この本部モニタＰＣ４の構成及び動作等の詳細についても上記ＷＤ２やＵＩＰ３の詳細説明と併せて後に説明する。
【００３２】
ここで、ＷＤ２について詳述する。図２はＷＤ２の一例を概略的に示した斜視図である。ＷＤ２は、表示部２０１、フレーム２０２、テンプル２０３、鼻当て部２０４、撮影デバイス２０５及び接続ケーブル２０６を備えている。表示部２０１は、ＬＥＤ（Light Emitting Diode）やＬＣＤ（Liquid Crystal Display）を備えて映像の表示駆動を行うものである。図３は、ＷＤ２の表示部２０１におけるＹ方向（図１参照）の断面図であり、光路も併せて示している。図３に示すように表示部２０１は、照明デバイス２０１ａ、コンデンサーレンズ２０１ｂ、表示デバイス２０１ｃ、第１プリズム２０１ｄ、第２プリズム２０１ｅ及びＨＯＥ２０１ｆを備えている。
【００３３】
照明デバイス２０１ａは、複数種類、例えばＲ、Ｇ、Ｂ３色の発光ダイオード（ＬＥＤ）を点光源として備えてなる光源（ＬＥＤユニット）である。コンデンサーレンズ２０１ｂは、照明デバイス２０１ａからの光源光を表示デバイス２０１ｃへ導く照明光学系をなすものであり、照明デバイス２０１ａの光源光を集光する正のパワーを有するレンズである。表示デバイス２０１ｃは、照明デバイス２０１ａからの光源光を変調して映像光を生成するものであり、例えば波長制限フィルタを備えた透過型のカラーＬＣＤである。第１及び第２プリズム２０１ｄ、２０１ｅは、ガラスや透明樹脂等の透明部材からなる略板状のプリズムであり、投影光学系をなすものである。ＨＯＥ２０１ｆは、第１及び第２プリズム２０１ｄ、２０１ｅと同様に投影光学系をなすものであって、体積位相型のホログラム光学素子（Holographic Optical Element；ＨＯＥ）からなる。このＨＯＥ２０１ｆは、入射光に対する角度依存性及び波長選択性を有し、この入射光を回折し、正のパワーによって虚像として光学瞳に導くように構成されている。
【００３４】
照明デバイス２０１ａから射出されたＲＧＢの照明光Ｌは、コンデンサーレンズ２０１ｂを通して集光されて表示デバイス２０１ｃを照明する。この照明により表示デバイス２０１ｃで生成された映像光は、第１プリズム２０１ｄ内を反射、すなわち第１プリズム２０１ｄの反射面２０１１、２０２２で全反射した後、ＨＯＥ２０１ｆによって回折され、虚像として光学瞳ＥＰ（投影光学系の射出瞳）に導かれる。作業者Ｐ１は光学瞳ＥＰの光を瞳に入射させてこの映像を観察することができる。
【００３５】
ＷＤ２は、以上のような構成（光学デバイス）を有する表示部２０１を備えることにより、狭視野角とすることができる、すなわち、作業者Ｐ１が光学瞳ＥＰ位置から少し目線を反らすと映像が見えなくなるくらいの非常に狭い視野での表示状態を得ることができ、作業者Ｐ１によるＷＤ２の装着時に、当該作業者Ｐ１以外の者によってたとえ背後から覗き見されようとも、ＷＤ２に表示されている映像が盗み見されないような構成となっている。この意味において、ＷＤ２が、認証された作業者Ｐ１に装着されて映像が表示されているときには、該映像情報の秘匿性は確保されていると言える。
【００３６】
なお、第１プリズム２０１ｄ内での光の反射を上記全反射としたので、作業者Ｐ１は、外界光（外光）の第１プリズム２０１ｄにおける透過率を低下させることなく、すなわち、全反射する映像光によって視界を遮られることなく第１プリズム２０１ｄの反射面２０１１、２０２２を通して外界を見ることができる。また、図３に示すように、第１及び第２プリズム２０１ｄ、２０１ｅは、それぞれ例えばクサビ状（テーパ面状）に形成された一端面同士が接合されることで一枚の板状に一体化され、この接合面（界面）においてＨＯＥ２０１ｆが挟持された構成となっている。この構成により、第２プリズム２０１ｅが、第１プリズム２０１ｄのクサビ状部分での光の屈折をキャンセル（相殺）する、すなわち、当該クサビ状部分におけるプリズム効果により、光学瞳ＥＰ側からの光が第１プリズム２０１ｄの入射面２０１３側（上方）へ折れ曲がることが防止されるため、作業者Ｐ１は、第１及び第２プリズム２０１ｄ、２０１ｅ及びＨＯＥ２０１ｆを通して、外界光を歪むことなく見ることができる。
【００３７】
図２に戻って、フレーム２０２は、眼鏡レンズすなわち上記第１及び第２プリズム２０１ｄ、２０１ｅ及びＨＯＥ２０１ｆを支持するとともに、テンプル２０３、鼻当て部２０４及び撮影デバイス２０５を支持する所謂フレーム体である。テンプル２０３は、左テンプル２０３Ｌ及び右テンプル２０３Ｒからなる。これら各テンプルは、例えば可撓性（弾性）を有し、作業者Ｐ１の耳や側頭部に掛止するなどして、鼻当て部２０４と共にＷＤ２を頭部へ保持させるものである。鼻当て部２０４は、左鼻当て部２０４Ｌ及び右鼻当て部２０４Ｒからなり、作業者Ｐ１の鼻部、例えば鼻頭等に当接（接触）させて上記テンプル２０３と共に、ＷＤ２を頭部へ保持させるものである。
【００３８】
撮影デバイス２０５は、フレーム２０２に取り付けられており、ＷＤ２を装着した作業者Ｐ１の虹彩や網膜或いは顔の画像、例えば虹彩画像、網膜画像或いは顔画像を撮影するための撮像装置つまりカメラ（小型カメラ）であり、当該撮影により作業者Ｐ１の生体情報を取得するものである。撮影デバイス２０５は、例えば撮影レンズ部が作業者Ｐ１の眼或いは顔の方向に向けることが可能に上記フレーム２０２に取り付けられている（フレーム２０２以外の箇所に取り付けられていてもよい）。撮影デバイス２０５は、図２のように、１個すなわち片方の眼に対して設けられていてもよいし、２個すなわち両眼に対して設けられていてもよい。接続ケーブル２０６は、ＷＤ２とＵＩＰ３とを有線で接続するケーブル（信号線）であり、ＵＩＰ３からＷＤ２つまり表示部２０１に対して映像信号を送信するとともに、ＷＤ２からＵＩＰ３に対して上記撮影デバイス２０５による認証情報や後述の着脱検知情報等を送信する。なお、接続ケーブル２０６によりＷＤ２の電源も供給する構成としてもよい。
【００３９】
ところで、テンプル２０３には、左テンプル２０３Ｌ及び／又は右テンプル２０３Ｒの所定位置例えば作業者Ｐ１の耳に掛止される箇所或いはこの周辺部に、ＷＤ２が作業者Ｐ１に装着された状態であるか否かを検知するための着脱検知センサ、具体的には作業者Ｐ１に対する接触、非接触を検知するための接触センサ２０３１、２０３２が設けられている。また、鼻当て部２０４には、左鼻当て部２０４Ｌ及び／又は右鼻当て部２０４Ｒの所定位置、例えば鼻と接触する面の位置に、ＷＤ２が作業者Ｐ１に装着された状態であるか否かを検知するためのセンサ、例えば上述と同様の接触センサ２０４１、２０４２が設けられている。ただし、これら着脱検知センサは接触センサに限らず圧力センサであってもよいし、このような電気的なセンサでなくともよく例えば機械的なスイッチであってもよい。要はＷＤ２が作業者Ｐ１に装着された状態であるか非装着の状態であるかが検知できるものであればよい。
【００４０】
なお、ＷＤ２における着脱検知センサが設けられる箇所（位置）は、作業者Ｐ１の耳や鼻の位置に対応するテンプル２０３及び鼻当て部２０４の箇所が好ましいが、これ以外の箇所に設けてもよい。また、着脱検知センサの設置箇所はテンプル２０３及び鼻当て部２０４の２箇所でなくともよく、１箇所或いは３箇所以上であってもよい。ここでは耳及び鼻の位置に設置しているが、これにより、所謂チャタリング防止、すなわちＷＤ２が例えば装着位置から少しズレたりしただけで、ＷＤ２が作業者Ｐ１に対して非装着の状態つまり頭部から外れたと検知されてしまうことを防止できる。これは、ＷＤ２のテンプル２０３と鼻当て部２０４とが外れる、つまり耳及び鼻の両位置の着脱検知センサが作業者Ｐ１と接触した状態から非接触の状態となるという状況は、明らかにＷＤ２が作業者Ｐ１から外れたという状況を想定するものである（通常、ＷＤ２が少しズレるような程度では、例えば鼻側が外れることはあっても耳側までは容易に外れない）ことによる。このようにチャタリングが防止されるので、ひいては作業者Ｐ１が不用意に（意図することなく）作業を中断されて作業効率が低下することのないようにすることができる。
【００４１】
ここで、ＵＩＰ３について詳述する。図４はＵＩＰ３の一例を概略的に示したブロック構成図である。同図に示すようにＵＩＰ３は、ネットワーク制御部３０１、映像音声分離部３０２、映像デコーダ３０３、音声デコーダ３０４、ＷＤ映像出力部３０５、ヘッドセット音声出力部３０６、ヘッドセット音声入力部３０７、エコーキャンセラ３０８、音声エンコーダ３０９、映像入力部３１０、映像エンコーダ３１１、映像音声多重化部３１２
ＷＤ着脱検知入力部３１３、認証情報入力部３１４、操作入力部３１５、ＵＩＰ主制御部３１６及び計時部３１７等を備えている。
【００４２】
ネットワーク制御部３０１は、本部モニタＰＣ４、コンテンツサーバ５及び認証サーバ６との間の通信すなわち映像データや音声データ等のやり取りを制御するインターフェイス（Ｉ／Ｆ）部である。映像音声分離部３０２は、ネットワーク制御部３０１からの映像及び音声データを、符号化された符号化映像データと符号化音声データとに分離する分離処理を行うものである。映像デコーダ３０３は、映像音声分離部３０２からの符号化映像データを復号（デコード）するものである。音声デコーダ３０４は、映像音声分離部３０２からの符号化音声データを復号化（デコード）するものである。ＷＤ映像出力部３０５は、映像デコーダ３０３からの映像データをＷＤ２に対して出力するもの（Ｉ／Ｆ部）である。
【００４３】
ところで、ＵＩＰ３は、ヘッドセット３３０を備えていてもよく、すなわち作業者Ｐ１はＷＤ２の他にヘッドセット３３０を装着していてもよく、ＷＤ２による映像データだけでなく、ヘッドセット３３０を用いて作業者Ｐ１に対する音声の入出力が可能な構成となっていてもよい。このヘッドセット３３０は、例えばヘッドマイク３２１とヘッドホン３２２とを備えており、作業者Ｐ１からの音声がヘッドマイク３２１に入力され、ヘッドホン３２２から作業者Ｐ１に対して音声が出力される構成とされていてもよい。またヘッドセット３３０は、所定の接続ケーブル或いは無線でＵＩＰ３と通信可能に接続されていてもよい。この構成において、ヘッドセット音声出力部３０６は、音声デコーダ３０４からの音声データをヘッドホン３２２に対して出力するもの（Ｉ／Ｆ部）である。ヘッドセット音声入力部３０７は、ヘッドマイク３２１に入力された作業者Ｐ１の発する音声が入力されるもの（Ｉ／Ｆ部）である。なお、ＵＩＰ３はヘッドセット３３０の代わりにＵＩＰ３自身に当該音声を入出力するためのマイク及びスピーカを内蔵する、すなわちヘッドセット音声出力部３０６がマイク部であり、ヘッドセット音声入力部３０７がスピーカである構成でもよい。
【００４４】
エコーキャンセラ３０８は、音声デコーダ３０４及びヘッドセット音声入力部３０７からの音声データに対してエコー（ヘッドホン３２２から発せられた音声がヘッドマイク３２１により拾われてしまった場合の雑音）を除去するエコーキャンセル処理を行うものである。音声エンコーダ３０９は、エコーキャンセラ３０８からのエコーキャンセル済みの音声データを符号化（エンコード）するものである。
【００４５】
ところでまた、ＵＩＰ３はビデオカメラ３４０等の撮像装置を備えており、ヘッドセット３３０等と同様、所定の接続ケーブル或いは無線でＵＩＰ３と通信可能に接続されていてもよい。ただし、ＵＩＰ３は撮像装置としてＵＩＰ３自身に例えばマイクロカメラを内蔵する構成でもよい。このような構成において、映像入力部３１０は、ビデオカメラ３４０により撮影された作業者Ｐ１の居る現場の様子等の映像データが入力されるもの（Ｉ／Ｆ部）である。映像エンコーダ３１１は、映像入力部３１０からの映像データを符号化（エンコード）するものである。映像音声多重化部３１２は、映像入力部３１０及び映像エンコーダ３１１からの符号化映像データ及び符号化音声データを多重化する多重化処理を行うものである。
【００４６】
ＷＤ着脱検知入力部３１３は、上記ＷＤ２が備える接触センサ２０３１、２０３２、２０４１、２０４２等の各着脱検知センサ（以降、各着脱検知センサを纏めてＷＤ着脱検知センサ３２０という）からの着脱検知情報が入力されるもの（Ｉ／Ｆ部）である。認証情報入力部３１４は、上記ＷＤ２が備える撮影デバイス２０５等の作業者Ｐ１認証用のセンサ（これを認証センサ３５０という）からの認証情報が入力されるもの（Ｉ／Ｆ部）である。操作入力部３１５は、例えば所定の入力キー又は入力ボタン等の入力機構が設けられており、この入力機構を用いて作業者Ｐ１により操作入力が行われるものである。具体的にはこの操作入力とは、例えば後述するコンテンツの送信要求に関する情報の入力、本部モニタＰＣ４に対する所定の要求や指示等に関するＵＩＰ３側から発信される情報の入力、或いはＵＩＰ３自身を操作するための入力である。なお、操作入力部３１５において当該直接入力する構成でなくともよく、上記入力機構としての例えばキー（ボタン）入力装置（キーボード等）がＵＩＰ３本体とは別に設けられ、これが操作入力部３１５と接続ケーブル等で接続されている構成であってもよい。
【００４７】
ＵＩＰ主制御部３１６は、ＵＩＰ３の制御プログラム等を記憶するＲＯＭ（Read Only Memory）、一時的にデータを保管するＲＡＭ（Random Access Memory）、及び上記制御プログラム等をＲＯＭから読み出して実行するマイクロコンピュータ等からなり、ＵＩＰ３全体の動作制御を司るものである。ＵＩＰ主制御部３１６は、ＷＤ着脱検知入力部３１３からの着脱検知情報、認証情報入力部３１４からの認証情報、操作入力部３１５からの操作入力情報、或いはネットワーク制御部３０１に入力された例えば本部モニタＰＣ４からの指示情報等に基づいて、ネットワーク制御部３０１を介して作業者Ｐ１の個人認証動作を制御する認証制御及び本部モニタＰＣ４との後述する双方向通信動作を制御する双方向通信制御、或いはＷＤ２に対する映像の表示又は非表示（表示停止）動作を制御する映像表示制御等を行う。
【００４８】
なお、ＵＩＰ主制御部３１６は、ＷＤ２に対する映像を非表示（表示停止）にするとき、例えば映像音声分離部３０２に対して非表示制御情報を入力し、映像音声分離部３０２での分離処理を実行させないようにする。ＵＩＰ主制御部３１６は、この非表示制御情報をネットワーク制御部３０１へ入力し、ネットワーク制御部３０１から映像音声分離部３０２への映像データの送信を実行させないようする構成でもよい。また、ＵＩＰ主制御部３１６は、例えば操作入力部３１５からの入力信号に応じて、コンテンツサーバ５からのコンテンツの送信要求を行うべく送信要求情報をコンテンツサーバ５或いは本部モニタＰＣ４へ送信するよう制御する構成でもよい。
【００４９】
また、ＵＩＰ主制御部３１６は、認証結果が後述する不適合認証となった場合、この認証不適合である旨、具体的には例えば認証結果が不適合認証であり該当する本人でなければ映像情報を見ることはできない、或いはこのＷＤ２を使用してはいけないといった警告情報（報知情報）を、ＷＤ２の表示部２０１に表示させるよう制御してもよい。認証結果が後述する適合認証となった場合、認証がＯＫである旨の情報を表示させるよう制御してもよい。同様に、ＵＩＰ主制御部３１６は、ＷＤ２が作業者Ｐ１から外れたと検出した場合、当該ＷＤ２が外れた旨の情報をＷＤ２に表示させてもよい。
【００５０】
計時部３１７は、時間計測（タイムカウント）を行うものつまりカウンター又はタイマーであり、ここでは着脱検知情報を基にＵＩＰ主制御部３１６により、ＷＤ２が作業者Ｐ１から外れた、つまりＷＤ着脱検知センサ３２０が作業者Ｐ１に対して非接触状態になったことが検出されたときからの経過時間を計測する。なお、上記ＵＩＰ主制御部３１６は、この計時部３１７の時間計測情報を用いて、ＷＤ着脱検知センサ３２０が作業者Ｐ１に対して非接触状態になってから所定時間が経過した時点でＷＤ２が外れたと判定する（所定時間が経過していない間は、ＷＤ２は外れていない（装着状態にある）と判定する）。これにより、ＷＤ着脱検知センサ３２０が非接触状態となった時点で直ちにＷＤ２が非装着状態にあると判断されてしまうことを防止できる。このことから、上述の着脱検知センサを鼻と耳との位置に設けることと併せて、計時部３１７は、より一層チャタリング（誤操作）防止を図ることを可能にするものであると言える。
【００５１】
このような構成において、ＵＩＰ３は、ＷＤ２からの作業者Ｐ１の認証情報（生体情報）を、本部モニタＰＣ４を介して或いは直接、認証サーバ６に送信する。認証サーバ６及び本部モニタＰＣ４による認証の結果、作業者Ｐ１が適合する者であると判定された場合（この場合を「適合認証」と表現する）、コンテンツサーバ５からコンテンツ（映像データ）が送信される。ＵＩＰ３はこのコンテンツを受信した後、映像表示するべくＷＤ２に送信する。作業者Ｐ１はＷＤ２に表示されたコンテンツを見ることができる。認証の結果、作業者Ｐ１が適合しない者であると判定された場合は（この場合を「不適合認証」と表現する）、ＵＩＰ３はＷＤ２に映像が表示されないようにする。この場合、本部モニタＰＣ４或いはＵＩＰ３の指示によりコンテンツサーバ５からコンテンツが送信されないようにすることで、或いは、ＵＩＰ３にはコンテンツサーバ５からコンテンツは送信されているが、ＵＩＰ３がＷＤ２へこのコンテンツを送信しないようにすることで、当該ＷＤ２に映像表示がなされないようにしてもよい。
【００５２】
一方、ＵＩＰ３は、ＷＤ着脱検知センサ３２０からの着脱検知情報に基づいて、作業者Ｐ１からＷＤ２が外れたしたと判断した場合には、ＷＤ２に対するコンテンツの表示（送信）を停止する。また、ＵＩＰ３はコンテンツの表示を停止するとともに、ＵＩＰ３内に一次的に保存されているすなわちＲＡＭ等に記憶されて残存しているコンテンツ（映像データ）を消去する。なお、ＵＩＰ３は、このコンテンツ表示を停止したことを示す情報を本部モニタＰＣ４或いはこのコンテンツサーバ５に送信してもよい。本部モニタＰＣ４或いはコンテンツサーバ５はこの情報を受けてコンテンツサーバ５からのコンテンツ送信を停止させる。当該コンテンツの送信停止に際して、ＳＩＰサーバ９によってＵＩＰ３とコンテンツサーバ５とのセッションを終了（遮断）されるようにしてもよい。
【００５３】
また、ＵＩＰ３は、上記コンテンツサーバ５との通信（コンテンツサーバ５からのコンテンツの受信）とは別に、本部モニタＰＣ４との間で音声及び／又は映像データの双方向通信を行う。すなわち、ＵＩＰ３は、ヘッドセット３３０及び／又はビデオカメラ３４０から入力された音声データ及び／又は映像データ（それぞれＵＩＰ音声データ、ＵＩＰ映像データと表現する。またこれらを纏めて「ＵＩＰ情報」と表現する）をネットワーク制御部３０１を介して本部モニタＰＣ４に送信したり、逆に、本部モニタＰＣ４から送信されてきたＵＩＰ３に対する例えば動作指示用の音声及び／又は映像データ（それぞれ指示用音声データ、指示用映像データと表現する。またこれらを纏めて「指示情報」と表現する）を受信する。ＵＩＰ３は、当該受信した音声データ及び映像データをそれぞれヘッドホン３２２及びＷＤ２に表示する。
【００５４】
なお、ＵＩＰ３と本部モニタＰＣ４とは必ずしも双方向通信でなくともよい。すなわち本部モニタＰＣ４からＵＩＰ３へのみ指示情報が送信される構成でもよいし、ＵＩＰ３から本部モニタＰＣ４へのみＵＩＰ情報が送信される構成でもよい。このような構成とするのは、ＷＤ２が外れた場合、ＷＤ２に対するコンテンツ表示が停止されて第三者に対して少なくともコンテンツが秘匿されればよく、従って、コンテンツのＷＤ２への表示或いはＵＩＰ３への送信を停止したときであっても、作業者Ｐ１と指示者Ｐ２との間の例えば会話やコンテンツ以外の映像或いはそれ以外の情報のやり取りはできるように通信を維持しておく（この通信のことを「連絡用通信」と表現する）ことが好ましいことによる。ただし、当該ＵＩＰ３及び本部モニタＰＣ４間の連絡用通信を行わない構成であってもよい。
【００５５】
また、ＵＩＰ３は、各作業者Ｐ１のＵＩＰ３同士での無線通信が可能に構成された所謂トランシーバの機能を備えていてもよく、必要に応じてこのトランシーバ機能を利用して各ＵＩＰ３における映像データや音声データ（例えばヘッドセット３３０を用いた作業者Ｐ１同士での会話）のやり取りを行うようにしてもよい。
【００５６】
ここで、上記ＵＩＰ３の構成及び動作の説明と併せて、本部モニタＰＣ４の構成及び動作について説明する。本部モニタＰＣ４は、ＵＩＰ主制御部３１６と同様にＲＡＭ、ＲＯＭ及びマイクロコンピュータ等からなり、本部モニタＰＣ４全体の動作制御を司る主制御部を備えている。図５にこの本部モニタＰＣ４における主制御部４０のブロック図を示す。主制御部４０は、認証制御部４１、コンテンツ送信制御部４２、ＵＩＰ情報制御部４３及び指示情報制御部４４等を備えている。認証制御部４１は、ＵＩＰ３からインターネットを経由して送信されてきた認証情報を受け付けるとともに、この認証情報を認証サーバ６へ送信し、認証サーバ６に該認証サーバ６内の照合用認証情報と照合させることで、適合認証であるか不適合認証であるかを判定する。なお、認証制御部４１は、認証結果情報として、上記不適合認証となった場合、当該不適合認証であることを示す情報をＵＩＰ３へ送信してもよい。
【００５７】
コンテンツ送信制御部４２は、認証制御部４１による認証結果に基づいて、適合認証である場合には、コンテンツサーバ５に対して、該コンテンツサーバ５内のコンテンツをＵＩＰ３へ送信させることが可能な状態つまりコンテンツ通信可能モードとなるように制御する。換言すれば、コンテンツ送信制御部４２は、コンテンツサーバ５又は本部モニタＰＣ４とＵＩＰ３との間でのコンテンツの通信（送受信）を行うことを認可（許可）する。コンテンツ送信制御部４２は、このコンテンツの通信が認可されている状態において、指示者Ｐ２による本部モニタＰＣ４への指示入力に応じて（或いはＵＩＰ３側からのコンテンツ送信要求に応じて）、コンテンツサーバ５に対するコンテンツ送信要求を行い、コンテンツサーバ５からＵＩＰ３へ向けてコンテンツを送信させるよう制御する。不適合認証である場合にはコンテンツサーバ５内のコンテンツをＵＩＰ３へ送信させないように制御する、すなわち上記コンテンツの通信を認可しない。
【００５８】
上記構成に限らず、コンテンツサーバ５又は本部モニタＰＣ４とＵＩＰ３との間でのコンテンツの通信が認可された状態において、ＵＩＰ３から直接、コンテンツサーバ５に対してコンテンツ送信要求がなされ、これに応じてコンテンツ送信制御部４２によってコンテンツサーバ５からＵＩＰ３へのコンテンツの送信が制御される構成であってもよい。ただし、当該コンテンツの通信が認可された時点で、或いはコンテンツを送信するその都度、ＳＩＰサーバ９によってコンテンツサーバ５又は本部モニタＰＣ４とＵＩＰ３との間のセッションが確立される。
【００５９】
なお、本部モニタＰＣ４は、図１に示すように、ＰＣカメラ４７（ＷＥＢカメラ）等の指示者Ｐ２を撮影する撮影装置、及びヘッドマイクやヘッドホンを備えたヘッドセット（図示省略）等の音声入力装置及び音声出力装置を備えており、所定の映像及び／又は音声データ、例えば指示者Ｐ２を撮影した映像データ及び／又は指示者Ｐ２による作業者Ｐ１に対する指示等に関する音声データを、上記指示情報としてＵＩＰ３へ送信することが可能に構成されている。またこれとは逆に、本部モニタＰＣ４は、ＵＩＰ３からの作業者Ｐ１の映像及び／又は音声データを受信して、この映像を本部モニタＰＣ４のディスプレイに表示したり、音声を上記ヘッドホンから出力したりする。このような構成によって上記ＵＩＰ３及び本部モニタＰＣ４間の双方向通信が可能とされている。
【００６０】
図６は、本実施形態に係るＷＤ２に対する映像表示及びＷＤ２が作業者Ｐ１から外れた場合のこの映像情報の秘匿に関する動作の一例について説明するフローチャートである。先ずＵＩＰ３の電源がＯＮ（投入）されると（ステップＳ１）、ＳＩＰサーバ９により、無線ＬＡＮ−ＡＰ８１を介したＵＩＰ３と本部モニタＰＣ４との間での通信確立動作が開始され、通信確立が完了したか否かのチェック動作が行われる（ステップＳ２）。通信が確立されなければ（ステップＳ３のＮＯ）ステップＳ２が継続される。通信が確立されたことがＳＩＰサーバ９により確認された後（ステップＳ３のＹＥＳ）、ＷＤ２が作業者Ｐ１に装着されたことが、テンプル２０３及び鼻当て部２０４の着脱検知センサ（接触センサ）によって検知されると、すなわちこの着脱検知情報に基づいてＵＩＰ主制御部３１６により検出されると（ステップＳ４のＹＥＳ）、ＵＩＰ主制御部３１６の指示に基づく撮影デバイス２０５による撮影によって作業者Ｐ１の認証情報（生体情報、本人認証データ）、例えば虹彩画像が取得され、この画像情報がＵＩＰ３へ送信される（ステップＳ５）。ＷＤ２の装着が検知されなければ（ステップＳ４のＮＯ）、ＷＤ２の装着が検知されるまで検知待機状態が継続される。
【００６１】
ＵＩＰ３によって、この撮影デバイス２０５から入力された認証情報が本部モニタＰＣ４に送信され、本部モニタＰＣ４及び認証サーバ６により、この認証情報と認証サーバ６内の照合用認証情報とが照合されることで、適合認証であるか不適合認証であるかが判定される（本人認証チェックが行われる）（ステップＳ６）。この認証の結果、不適合認証（認証ＮＧ）であると判定されると（ステップＳ７のＮＯ）、この旨（例えば警告情報）がＷＤ２の表示部２０１に表示される（ステップＳ８）。このように不適合認証となったことで、例えば作業者Ｐ１によりＷＤ２が非装着状態にされる（外される）、すなわち、着脱検知センサが作業者Ｐ１との非接触状態を検知すると（ステップＳ９のＹＥＳ）、上記ステップＳ４に戻り、ＷＤ２が装着されるのを待って再度、作業者Ｐ１の認証動作が行われる。ただし、ここでは、テンプル２０３及び鼻当て部２０４の両方の箇所の着脱検知センサが非接触状態を検知したときに限って上記ＷＤ２が非装着状態になったものとする（一方側のみの着脱検知センサが非接触状態を検知したとしても、ＷＤ２は装着状態にあるとする）。上記ステップＳ９においてＷＤ２が装着されたままであるときには（ステップＳ９のＮＯ）、上記ステップＳ８における不適合認証である旨（警告情報）の表示動作が継続される。
【００６２】
上記ステップＳ７において適合認証であると判定されると（ステップＳ７のＹＥＳ）、本部モニタＰＣ４はこの認証結果に基づいて、映像表示制御を開始する、すなわちコンテンツサーバ５に対して、該コンテンツサーバ５内のコンテンツをＵＩＰ３へ送信させることが可能な状態（コンテンツ通信可能モード）となるように制御する。この制御によりＵＩＰ３とコンテンツサーバ５との間のコンテンツの通信を行うことが認可された状態となる（ステップＳ１０）。このようにコンテンツの通信が認可された状態にあるとき、本部モニタＰＣ４から或いはＵＩＰ３からコンテンツサーバ５へコンテンツの送信要求指示がなされると（ステップＳ１１）、コンテンツサーバ５によってＵＩＰ３へのコンテンツの送信が開始される（ステップＳ１２）。
【００６３】
作業者Ｐ１がＷＤ２を装着し続けている状況においては、作業者Ｐ１若しくは指示者Ｐ２の意思によってコンテンツの送信動作が停止されない限りは（ステップＳ１３のＹＥＳ）、ＵＩＰ３によりＷＤ２へのコンテンツ（映像情報；映像）の表示が行われる（ステップＳ１４）。当該コンテンツが表示されている状態において、ＷＤ２が作業者Ｐ１に非装着の状態つまり上記着脱検知センサが作業者Ｐ１と非接触状態になったことが検知されると（ステップＳ１５のＹＥＳ）、その時点でＵＩＰ３の計時部３１７により時間計測が開始される（ステップＳ１６）。ただし、上記ステップＳ１５における“着脱検知センサの非接触状態”とは、上記ステップＳ９の場合と同様、テンプル２０３及び鼻当て部２０４の両方の箇所の着脱検知センサが非接触状態を検知したときであって、一方側のみの着脱検知センサが非接触状態を検知したとしても上記ＷＤ２が非装着状態であるとしないものとする。
【００６４】
上記ステップＳ１６での時間計測において所定時間、例えばＮ秒以上が経過した時点で（ステップＳ１７のＹＥＳ）、ＵＩＰ３によって、ＷＤ２に対するコンテンツの表示（配信）が停止されるとともに（ステップＳ１９）、ＵＩＰ３内のメモリに一時的に保存されている当該コンテンツが自動的に消去される（ステップＳ２０）。このステップＳ２０の後は上記ステップＳ４に戻る。上記Ｎ秒以上が経過していなければ（ステップＳ１７のＮＯ）、時間計測が継続され（ステップＳ１８）、ステップＳ１５に戻る。この時間計測においてＮ秒が経過する前に、ＷＤ２が適正に装着されると、すなわちテンプル２０３及び鼻当て部２０４の両方の箇所の着脱検知センサが作業者Ｐ１と接触状態になったことを検知すると（上記ステップＳ１５のＮＯ）、上記ステップＳ１３、Ｓ１４に戻ってＷＤ２にコンテンツが表示されるようになる。
【００６５】
上記ステップＳ１３においてコンテンツの送信が停止されると（ステップＳ１３のＮＯ）、ＳＩＰサーバ９によってＵＩＰ３とコンテンツサーバ５とのネットワーク接続が解除されるすなわちセッションが終了される（ステップＳ２１）。このときも上記ステップＳ２０と同様、ＵＩＰ３によって、ＵＩＰ３内のメモリに一時的に保存されているコンテンツが自動的に消去される（ステップＳ２２）。そして、ＵＩＰ３の電源がＯＦＦにされ（ステップＳ２３）、フロー終了となる。
【００６６】
以上のように本発明に係る映像表示システム１によれば、ＷＤ２が、照明デバイス２０１ａ（光源）と、照明デバイス２０１ａの光を変調して映像を生成する表示デバイス２０１ｃ（空間光変調器）と、照明デバイス２０１ａからの光を表示デバイス２０１ｃへ導くコンデンサーレンズ２０１ｂ（照明光学系）と、ＨＯＥ２０１ｆ（ホログラフィック光学素子）を備え、表示デバイス２０１ｃからの映像光を投影する投影光学系（上記ＨＯＥ２０１ｆ及び第１及び第２プリズム２０１ｄ、２０１ｅ）とを備え、作業者Ｐ１（ユーザ）に装着することが可能に構成されているため、ＷＤ２を、映像情報が作業者Ｐ１本人以外の第三者（その他不特定多数の作業者Ｐ１）に対して秘匿される映像表示装置とすることができる。この映像情報（コンテンツ）はコンテンツサーバ５（映像保管装置）に保管され、有線及び無線ネットワーク７、８やＳＩＰサーバ９などの通信装置によってＷＤ２へ向けて送信される。そして、ＷＤ２が作業者Ｐ１に装着されたときには該作業者Ｐ１が本人であるか否かの認証が認証サーバ６（認証サーバ６だけでなく本部モニタＰＣ４を用いて認証してもよい）によって行われることからも映像情報は秘匿される。
【００６７】
さらに、ＷＤ２を装着した作業者Ｐ１が本人であると認証サーバ６により認証されるとともに映像情報がＷＤ２に表示されている状態のとき、すなわちＷＤ２の通常使用時において、ＷＤ２が非装着の状態つまりＷＤ２が作業者Ｐ１から外れたことが接触センサ２０３１、２０３２、２０４１及び２０４２等の着脱検知センサ（状態検出装置）により検出されたときであっても、該ＷＤ２における映像情報の表示が停止されて第三者に対して映像情報が秘匿される。このようにＷＤ２の通常使用時のみならず、ＷＤ２が作業者Ｐ１から外れてしまった場合でも、ＷＤ２や映像表示システム１を複雑で大掛かりなものとする或いは煩雑な操作を要求することなく、映像情報の表示を停止させることで映像情報が秘匿されるので、作業者Ｐ１に負担をかけることなく、映像情報を確実に秘匿するすなわち映像情報の秘匿性をより高いものとし、ひいては完全な映像情報の秘匿性を確保することができる。
【００６８】
また、ＵＩＰ３は、ＷＤ２に映像情報を表示するべく該映像情報を一時的に保存する保存媒体（ＲＡＭ等）を備えており、ＷＤ２が非装着の状態であることが上記着脱検知センサにより検出されたときに、ＷＤ２における映像情報の表示が停止されるとともに、保存媒体に保存されている映像情報が消去されるので、より確実に映像情報を秘匿することができ、ひいてはより完全な映像情報の秘匿性を確保することができる。
【００６９】
また、ＷＤ２が、作業者Ｐ１の頭部に装着することが可能に構成された眼鏡型の映像表示装置とされ、着脱検知センサが、この眼鏡型の映像表示装置における上記作業者Ｐ１の頭部における耳及び鼻の位置それぞれに対応するテンプル部及び鼻当て部に設けられた、人体との接触、非接触を検知するセンサとされるので、ＷＤ２が例えば装着位置から少しズレたりしただけで、ＷＤ２が作業者Ｐ１から外れたと検知されてしまうという誤操作（誤作動）を防止でき、ひいては作業者Ｐ１が不用意に作業を中断されて作業効率が低下することのないようにすることができる。
【００７０】
また、ＵＩＰ３（ＵＩＰ主制御部３１６）は、時間計測を行う計時部３１７（計時機能）を備えており、ＷＤ２が非装着の状態であることが着脱検知センサにより検出された時点で計時部３１７により時間の計測が開始され、所定時間が経過した時点でＷＤ２における映像情報の表示が停止されるので、ＷＤ２が非装着の状態であると検出された時点で直ちに映像表示が停止されしてしまい、実際にはＷＤ２が作業者Ｐ１から取り外されていないのに非装着状態と検出されるという誤操作に対する裕度を持たすことができ、ＷＤ２が装着状態であるか非装着状態であるの判定をより正確に行うことができる。
【００７１】
また、認証サーバ６は、ＷＤ２が装着されたユーザの虹彩、網膜又は顔の情報である生体情報を取得する生体情報取得装置を撮影デバイス２０５としてＷＤ２に備えており、この撮影デバイス２０５により取得された生体情報に基づいて作業者Ｐ１が本人であるか否かの認証が行われるので、より正確な認証を行うことができ、ひいてはより完全な映像情報の秘匿性を確保することができる。
【００７２】
また、認証サーバ６（ＵＩＰ主制御部３１６）が備える警告機能によって、ＷＤ２を装着し作業者Ｐ１が本人でないと認証サーバ６により認証されたときに、該本人でない作業者Ｐ１に対する所定の警告情報がＷＤ２に表示されるので、例えば、本人でない作業者Ｐ１がこのＷＤ２を使用しようとしたり映像情報を見ようとする行為を行わさないようにしてより確実に映像情報を秘匿することができ、ひいてはより完全な映像情報の秘匿性を確保することができる。
【００７３】
なお、本発明の趣旨を逸脱しない範囲において各種構成の追加、変更を伴うことが可能であり、例えば以下の変形態様をとることができる。
（Ａ）上記実施形態では、ＷＤ２にコンテンツが表示されている状態のとき、着脱検知センサにより、ＷＤ２が作業者Ｐ１に対して非接触状態となったことが検知されると、ＵＩＰ３によりＷＤ２に対するコンテンツの表示（配信）が停止される構成であるが、これに限らず、例えば、ＵＩＰ３及びコンテンツサーバ５間での通信は維持されているつまりコンテンツ通信可能モードとなっているが現在、コンテンツ自体はＷＤ２に表示されていない場合において、ＷＤ２が作業者Ｐ１に対して非接触状態となったことが検知されると、例えば次のコンテンツが表示されてしまわないようにセットする或いは（コンテンツ通信可能モード）通信を解除するようにしてもよい。この場合もＵＩＰ３等に一時的に保存されている映像情報があればこれを自動的に消去することが好ましい。
【図面の簡単な説明】
【００７４】
【図１】本実施形態に係る映像表示システムの概略構成図である。
【図２】上記映像表示システムにおけるＷＤの一例を概略的に示す斜視図である。
【図３】上記ＷＤの表示部におけるＹ方向の断面図である。
【図４】上記映像表示システムにおけるＵＩＰの一例を概略的に示すブロック構成図である。
【図５】上記映像表示システムにおける本部モニタＰＣの主制御部のブロック図である。
【図６】本実施形態に係るＷＤに対する映像表示及びＷＤが作業者から外れた場合の映像情報の秘匿に関する動作の一例について説明するフローチャートである。
【符号の説明】
【００７５】
１  映像表示システム
２  ＷＤ（映像表示装置）
２０１  表示部
２０１ａ  照明デバイス（光源）
２０１ｂ  コンデンサーレンズ（照明光学系）
２０１ｃ  表示デバイス（空間光変調器）
２０１ｄ  第１プリズム（投影光学系）
２０１ｅ  第２プリズム（投影光学系）
２０１ｆ  ＨＯＥ（ホログラフィック光学素子、投影光学系）
２０２  フレーム
２０３  テンプル（テンプル部）
２０３１、２０３２  接触センサ（状態検出装置）
２０４  鼻当て部
２０４１、２０４２  接触センサ（状態検出装置）
２０５  撮影デバイス（生体情報取得装置）
２０６  接続ケーブル
３  ＵＩＰ（制御装置）
４  本部モニタＰＣ（制御装置）
４０  主制御部
４１  認証制御部
４２  コンテンツ送信制御部
４３  ＵＩＰ情報制御部
４４  指示情報制御部
４７  ＰＣカメラ
５  コンテンツサーバ（映像保管装置）
６  認証サーバ（認証装置）
７  有線ネットワーク（通信装置）
８  無線ネットワーク（通信装置）
８１  無線ＬＡＮ−ＡＰ（通信装置）
９  ＳＩＰサーバ（通信装置）
３１７  計時部（計時機能）
３３０  ヘッドセット
Ｐ１  作業者（ユーザ）
Ｐ２  指示者
【図１】
2007322769.tif 000003
【図２】
2007322769.tif 000004
【図３】
2007322769.tif 000005
【図４】
2007322769.tif 000006
【図５】
2007322769.tif 000007
【図６】
2007322769.tif 000008